(57)【要約】【課題】相手の通話内容からユーザが必要とする情報を文字情報として表示及び記録する携帯電話機を提供する。【解決手段】ユーザが携帯電話機１を用いて相手と通話している状態で、対向音声受信部１４により取得される音声情報Ａに対して、ユーザが必要とする範囲の特定通話内容を切り出す操作を行ったとき、切り出された特定通話内容に対応した切り出し音声情報ｃａが文字情報ｃｂに変換されて画面表示され、通話相手から聞いた電話番号やメールアドレスのような情報を同携帯電話機１以外の二次媒体（メモ用紙など）へ記録することが困難な状況でも、即座に記録及び表示される。また、上記の情報を二次媒体へ記録できた場合でも、これらの情報を携帯電話機１内へ記録したい場合に、同情報を再入力する手間が省略され、利便性が向上する。【選択図】図１
2008205860.tif 000002
【特許請求の範囲】
【請求項１】
通話相手の音声を受信する音声受信手段と、
該音声受信手段により取得される音声情報に対して、ユーザが必要とする範囲の特定通話内容を切り出す操作を行ったとき、切り出された前記特定通話内容に対応した切り出し音声情報を文字情報に変換して画面表示する通話内容切り出し表示手段とを備えてなることを特徴とする携帯電話機。
【請求項２】
前記通話内容切り出し表示手段は、
前記音声受信手段により取得される前記音声情報に対してユーザが前記特定通話内容を切り出す操作を行うための音声情報切り出し操作手段と、
該音声情報切り出し操作手段で前記特定通話内容を切り出す操作が行われたとき、当該特定通話内容に対応した前記切り出し音声情報を切り出す音声情報切り出し手段と、
該音声情報切り出し手段で切り出された前記切り出し音声情報を記録する切り出し音声情報記憶手段と、
該音声情報記憶手段に記録されている前記切り出し音声情報を認識して前記文字情報に変換する音声認識手段と、
該音声認識手段で変換された前記文字情報を記録する変換文字情報記憶手段と、
該変換文字情報記憶手段に記録されている前記文字情報を画面表示する文字情報表示手段とから構成されていることを特徴とする請求項１記載の携帯電話機。
【請求項３】
通話相手の音声を受信する音声受信手段と、
該音声受信手段により取得される音声情報に対して、ユーザが必要とする範囲の特定通話内容を切り出す操作を行ったとき、切り出された前記特定通話内容に対応した切り出し音声情報を文字情報に変換し、該文字情報から特定の型式で表される特定文字情報を判別して切り出して画面表示する特定文字情報切り出し表示手段とを備えてなることを特徴とする携帯電話機。
【請求項４】
前記特定文字情報切り出し表示手段は、
前記音声受信手段により取得される前記音声情報に対してユーザが前記特定通話内容を切り出す操作を行うための音声情報切り出し操作手段と、
該音声情報切り出し操作手段で前記特定通話内容を切り出す操作が行われたとき、当該特定通話内容に対応した前記切り出し音声情報を切り出す音声情報切り出し手段と、
該音声情報切り出し手段で切り出された前記切り出し音声情報を記録する切り出し音声情報記憶手段と、
該音声情報記憶手段に記録されている前記切り出し音声情報を認識して前記文字情報に変換する音声認識手段と、
該音声認識手段で変換された前記文字情報を記録する変換文字情報記憶手段と、
該変換文字情報記憶手段に記録されている前記文字情報から特定の型式で表される特定文字情報を判別して切り出す特定文字情報切り出し手段と、
該特定文字情報切り出し手段で切り出された前記特定文字情報を画面表示する文字情報表示手段とから構成されていることを特徴とする請求項３記載の携帯電話機。
【請求項５】
通話相手の音声を受信する音声受信手段を有する携帯電話機に用いられる通話内容切り出し方法であって、
前記音声受信手段により取得される音声情報に対して、ユーザが必要とする範囲の特定通話内容を切り出す操作を行ったとき、切り出された前記特定通話内容に対応した切り出し音声情報を文字情報に変換して画面表示することを特徴とする通話内容切り出し方法。
【請求項６】
前記音声受信手段により取得される前記音声情報に対してユーザが前記特定通話内容を切り出す操作を行う音声情報切り出し操作処理と、
該音声情報切り出し操作処理で前記特定通話内容を切り出す操作が行われたとき、当該特定通話内容に対応した前記切り出し音声情報を切り出す音声情報切り出し処理と、
該音声情報切り出し処理で切り出された前記切り出し音声情報を記録する切り出し音声情報記憶処理と、
該音声情報記憶処理で記録された前記切り出し音声情報を認識して前記文字情報に変換する音声認識処理と、
該音声認識処理で変換された前記文字情報を記録する変換文字情報記憶処理と、
該変換文字情報記憶処理で記録された前記文字情報を画面表示する文字情報表示処理とを行うことを特徴とする請求項５記載の通話内容切り出し方法。
【請求項７】
通話相手の音声を受信する音声受信手段を有する携帯電話機に用いられる通話内容切り出し方法であって、
前記音声受信手段により取得される音声情報に対して、ユーザが必要とする範囲の特定通話内容を切り出す操作を行ったとき、切り出された前記特定通話内容に対応した切り出し音声情報を文字情報に変換し、該文字情報から特定の型式で表される特定文字情報を判別して切り出して画面表示することを特徴とする通話内容切り出し方法。
【請求項８】
前記音声受信手段により取得される前記音声情報に対してユーザが前記特定通話内容を切り出す操作を行う音声情報切り出し操作処理と、
該音声情報切り出し操作処理で前記特定通話内容を切り出す操作が行われたとき、当該特定通話内容に対応した前記切り出し音声情報を切り出す音声情報切り出し処理と、
該音声情報切り出し処理で切り出された前記切り出し音声情報を記録する切り出し音声情報記憶処理と、
該音声情報記憶処理で記録された前記切り出し音声情報を認識して前記文字情報に変換する音声認識処理と、
該音声認識処理で変換された前記文字情報を記録する変換文字情報記憶処理と、
該変換文字情報記憶処理で記録された前記文字情報から特定の型式で表される特定文字情報を判別して切り出す特定文字情報切り出し処理と、
該特定文字情報切り出し処理で切り出された前記特定文字情報を画面表示する特定文字情報表示処理とを行うことを特徴とする請求項７記載の通話内容切り出し方法。
【請求項９】
コンピュータに請求項１乃至４のいずれか一に記載の携帯電話機を制御させるための通話内容切り出し制御プログラム。
【発明の詳細な説明】
【技術分野】
【０００１】
この発明は、携帯電話機、該携帯電話機に用いられる通話内容切り出し方法及び通話内容切り出し制御プログラムに係り、特に、相手の通話内容からユーザが必要とする情報を文字情報として表示及び記録する場合に用いて好適な携帯電話機、該携帯電話機に用いられる通話内容切り出し方法及び通話内容切り出し制御プログラムに関する。
【背景技術】
【０００２】
携帯電話機により通話時では、ユーザが通話相手と名前や電話番号、Ｅメールアドレスのような情報を交換するとき、通話相手から伝達された情報を紙面などに転記できる状態であれば良いが、必ずしも、その状態にあるとは限らない。また、ユーザは、通話相手の情報を聞き間違えることも多い。このような状態に対する対策として、全ての通話を録音し、文字に変換して携帯電話機内のメモリなどに保存する方法が考えられるが、文字変換する音声情報のデータ量が大きい場合、情報量に対応した大容量の記憶領域を必要とするため、実現は容易ではない。また、文字変換する音声情報の範囲が長時間にわたるため、変換誤りの確率が高くなる。このため、通話相手から伝達された情報の一部を音声認識して文字に変換する機能を有する携帯電話機が提案されている。
【０００３】
この種の技術としては、たとえば、特許文献１に記載されたものがある。
特許文献１に記載された記録装置及び携帯電話では、携帯電話にコネクタにより接続可能な記録装置で、通話中、通話者が通話内容を記録すべく、記録ボタンが押下されると、受話者及び送話者の音声信号が通話回路を介して記録装置に送られ、これをセレクタで受話者のものか送話者のものかを識別し、さらに音声認識部で音声信号を文字情報に変換する。変換された文字情報は、混合部で上記セレクタで識別された識別記号が取り付けられた記録データに変換される。そして、記録部で記録データが記録媒体に記録されて出力される。
【０００４】
また、特許文献２に記載された携帯電話端末では、音声通話中に、受話用スピーカが操作者が所定距離以上離れた状態で、音声データを受信した場合、制御部は、報知部から報知動作を行うと共に、音声認識部及び文字変換部を起動し、表示部に文字形式で音声データを出力する。
【特許文献１】特開２００３−００８７３２号公報（要約書、図２）
【特許文献２】特開２００６−２４５９１９号公報（要約書、図１）
【発明の開示】
【発明が解決しようとする課題】
【０００５】
しかしながら、上記従来技術では、次のような問題点があった。
すなわち、特許文献１に記載された記録装置及び携帯電話では、記録ボタンが押下されることにより通話内容が記録されるが、この発明とは、ハード構成が異なる。また、特許文献２に記載された携帯電話端末では、受話用スピーカが操作者が所定距離以上離れたときに所定の動作が行われる構成に限定され、この発明とは目的や構成が異なる。また、これらの従来技術では、たとえば、インターネットアドレスや電話番号、Ｅメールアドレスのような、特定の型式で表される特定文字情報を自動的に切り出す機能はないため、利便性において十分ではないという問題点がある。
【０００６】
この発明は、上述の事情に鑑みてなされたもので、相手の通話内容からユーザが必要とする情報を文字情報として表示及び記録すると共に、特定の型式で表される特定文字情報を自動的に切り出す機能を有する携帯電話機、同携帯電話機に用いられる通話内容切り出し方法及び通話内容切り出し制御プログラムを提供することを目的としている。
【課題を解決するための手段】
【０００７】
上記課題を解決するために、請求項１記載の発明は、携帯電話機に係り、通話相手の音声を受信する音声受信手段と、該音声受信手段により取得される音声情報に対して、ユーザが必要とする範囲の特定通話内容を切り出す操作を行ったとき、切り出された前記特定通話内容に対応した切り出し音声情報を文字情報に変換して画面表示する通話内容切り出し表示手段とを備えてなることを特徴としている。
【０００８】
請求項２記載の発明は、請求項１記載の携帯電話機に係り、前記通話内容切り出し表示手段は、前記音声受信手段により取得される前記音声情報に対してユーザが前記特定通話内容を切り出す操作を行うための音声情報切り出し操作手段と、該音声情報切り出し操作手段で前記特定通話内容を切り出す操作が行われたとき、当該特定通話内容に対応した前記切り出し音声情報を切り出す音声情報切り出し手段と、該音声情報切り出し手段で切り出された前記切り出し音声情報を記録する切り出し音声情報記憶手段と、該音声情報記憶手段に記録されている前記切り出し音声情報を認識して前記文字情報に変換する音声認識手段と、該音声認識手段で変換された前記文字情報を記録する変換文字情報記憶手段と、該変換文字情報記憶手段に記録されている前記文字情報を画面表示する文字情報表示手段とから構成されていることを特徴としている。
【０００９】
請求項３記載の発明は、携帯電話機に係り、通話相手の音声を受信する音声受信手段と、該音声受信手段により取得される音声情報に対して、ユーザが必要とする範囲の特定通話内容を切り出す操作を行ったとき、切り出された前記特定通話内容に対応した切り出し音声情報を文字情報に変換し、該文字情報から特定の型式で表される特定文字情報を判別して切り出して画面表示する特定文字情報切り出し表示手段とを備えてなることを特徴としている。
【００１０】
請求項４記載の発明は、請求項３記載の携帯電話機に係り、前記特定文字情報切り出し表示手段は、前記音声受信手段により取得される前記音声情報に対してユーザが前記特定通話内容を切り出す操作を行うための音声情報切り出し操作手段と、該音声情報切り出し操作手段で前記特定通話内容を切り出す操作が行われたとき、当該特定通話内容に対応した前記切り出し音声情報を切り出す音声情報切り出し手段と、該音声情報切り出し手段で切り出された前記切り出し音声情報を記録する切り出し音声情報記憶手段と、該音声情報記憶手段に記録されている前記切り出し音声情報を認識して前記文字情報に変換する音声認識手段と、該音声認識手段で変換された前記文字情報を記録する変換文字情報記憶手段と、該変換文字情報記憶手段に記録されている前記文字情報から特定の型式で表される特定文字情報を判別して切り出す特定文字情報切り出し手段と、該特定文字情報切り出し手段で切り出された前記特定文字情報を画面表示する文字情報表示手段とから構成されていることを特徴としている。
【００１１】
請求項５記載の発明は、通話相手の音声を受信する音声受信手段を有する携帯電話機に用いられる通話内容切り出し方法に係り、前記音声受信手段により取得される音声情報に対して、ユーザが必要とする範囲の特定通話内容を切り出す操作を行ったとき、切り出された前記特定通話内容に対応した切り出し音声情報を文字情報に変換して画面表示することを特徴としている。
【００１２】
請求項６記載の発明は、請求項５記載の通話内容切り出し方法に係り、前記音声受信手段により取得される前記音声情報に対してユーザが前記特定通話内容を切り出す操作を行う音声情報切り出し操作処理と、該音声情報切り出し操作処理で前記特定通話内容を切り出す操作が行われたとき、当該特定通話内容に対応した前記切り出し音声情報を切り出す音声情報切り出し処理と、該音声情報切り出し処理で切り出された前記切り出し音声情報を記録する切り出し音声情報記憶処理と、該音声情報記憶処理で記録された前記切り出し音声情報を認識して前記文字情報に変換する音声認識処理と、該音声認識処理で変換された前記文字情報を記録する変換文字情報記憶処理と、該変換文字情報記憶処理で記録された前記文字情報を画面表示する文字情報表示処理とを行うことを特徴としている。
【００１３】
請求項７記載の発明は、通話相手の音声を受信する音声受信手段を有する携帯電話機に用いられる通話内容切り出し方法に係り、前記音声受信手段により取得される音声情報に対して、ユーザが必要とする範囲の特定通話内容を切り出す操作を行ったとき、切り出された前記特定通話内容に対応した切り出し音声情報を文字情報に変換し、該文字情報から特定の型式で表される特定文字情報を判別して切り出して画面表示することを特徴としている。
【００１４】
請求項８記載の発明は、請求項７記載の通話内容切り出し方法に係り、前記音声受信手段により取得される前記音声情報に対してユーザが前記特定通話内容を切り出す操作を行う音声情報切り出し操作処理と、該音声情報切り出し操作処理で前記特定通話内容を切り出す操作が行われたとき、当該特定通話内容に対応した前記切り出し音声情報を切り出す音声情報切り出し処理と、該音声情報切り出し処理で切り出された前記切り出し音声情報を記録する切り出し音声情報記憶処理と、該音声情報記憶処理で記録された前記切り出し音声情報を認識して前記文字情報に変換する音声認識処理と、該音声認識処理で変換された前記文字情報を記録する変換文字情報記憶処理と、該変換文字情報記憶処理で記録された前記文字情報から特定の型式で表される特定文字情報を判別して切り出す特定文字情報切り出し処理と、該特定文字情報切り出し処理で切り出された前記特定文字情報を画面表示する特定文字情報表示処理とを行うことを特徴としている。
【００１５】
請求項９記載の発明は、通話内容切り出し制御プログラムに係り、コンピュータに請求項１乃至４のいずれか一に記載の携帯電話機を制御させることを特徴としている。
【発明の効果】
【００１６】
この発明の構成によれば、音声受信手段により通話相手の音声が受信され、通話内容切り出し表示手段において、同音声受信手段により取得される音声情報に対してユーザが特定通話内容を切り出す操作を行ったとき、切り出された上記特定通話内容に対応した切り出し音声情報が文字情報に変換されて画面表示されるので、通話相手から聞いた電話番号やメールアドレスのような情報を当該携帯電話機以外の二次媒体（メモ用紙など）へ記録することが困難な状況でも、即座に記録及び表示される。また、上記の情報を二次媒体へ記録できた場合でも、これらの情報を当該携帯電話機内の電話帳登録手段へ記録したい場合に、同情報を再入力する手間を省略でき、利便性を向上させることができる。また、特定文字情報切り出し表示手段において、音声受信手段により取得される音声情報に対してユーザが特定通話内容を切り出す操作を行ったとき、切り出された特定通話内容に対応した切り出し音声情報が文字情報に変換され、同文字情報から特定の型式で表される特定文字情報が判別されて切り出され、画面表示されるので、さらに利便性を向上させることができる。
【発明を実施するための最良の形態】
【００１７】
ユーザが相手と通話している状態で、対向音声受信部により取得される音声情報に対して、ユーザが必要とする範囲の特定通話内容を切り出す操作を行ったとき、切り出された特定通話内容に対応した切り出し音声情報が文字情報に変換されて画面表示され、また、同文字情報から特定の型式で表される特定文字情報が判別されて切り出され、画面表示される携帯電話機、同携帯電話機に用いられる通話内容切り出し方法及び通話内容切り出し制御プログラムを提供する。
【実施例１】
【００１８】
図１は、この発明の第１の実施例である携帯電話機の要部の電気的構成を示すブロック図である。
この例の携帯電話機１は、同図に示すように、音声切り出しボタン１１と、ボタン押下監視部１２と、音声情報切り出し部１３と、対向音声受信部１４と、音声認識部１５と、変換文字情報画面表示部１６と、切り出し音声情報記憶部１７と、変換文字情報記憶部１８と、制御部１９とから構成されている。対向音声受信部１４は、通話相手の音声を音声情報Ａとして受信し、音声情報切り出し部１３に送出する。
【００１９】
音声切り出しボタン１１は、対向音声受信部１４により取得される音声情報Ａに対してユーザが特定通話内容を切り出す操作を行うためのものである。ボタン押下監視部１２は、音声切り出しボタン１１の押下を監視する。音声情報切り出し部１３は、ユーザが音声切り出しボタン１１を押下して特定通話内容を切り出す操作を行ったとき、ボタン押下監視部１２からの通知に基づき、当該特定通話内容に対応した切り出し音声情報ｃａを切り出して切り出し音声情報記憶部１７へ送出する。切り出し音声情報記憶部１７は、たとえばＲＡＭ（Randam Access Memory）などで構成され、音声情報切り出し部１３から送出された切り出し音声情報ｃａを記録する。
【００２０】
音声認識部１５は、切り出し音声情報記憶部１７に記録されている切り出し音声情報を認識して文字情報ｃｂに変換し、変換文字情報記憶部１８に送出する。変換文字情報記憶部１８は、たとえばＲＡＭなどで構成され、音声認識部１５から送出された文字情報ｃｂを記録する。変換文字情報画面表示部１６は、たとえば液晶表示装置などで構成され、変換文字情報記憶部１８に記録されている文字情報ｃｂを携帯電話画面Ｖとして画面表示する。制御部１９は、この携帯電話機１全体を制御するコンピュータとしてのＣＰＵ（中央処理装置）１９ａ及び同ＣＰＵ１９ａを動作させるための通話内容切り出し制御プログラムが記録されたＲＯＭ（Read Only Memory、リード・オンリ・メモリ）１９ｂを有している。
【００２１】
図２は、図１の携帯電話機１の動作を説明するためのフローチャートである。
この図を参照して、この例の携帯電話機に用いられる通話内容切り出し方法の処理内容）について説明する。
この携帯電話機１では、ユーザが同携帯電話機１を用いて相手と通話している状態で、対向音声受信部１４により取得される音声情報Ａに対して、ユーザが必要とする範囲の特定通話内容を切り出す操作を行ったとき、切り出された特定通話内容に対応した切り出し音声情報ｃａが文字情報ｃｂに変換されて画面表示される。
【００２２】
すなわち、ユーザが音声切り出しボタン１１を押下することにより、音声情報Ａに対して特定通話内容（たとえば、通話相手のメールアドレスなど）を切り出す操作を行うと（音声情報切り出し操作処理）、ボタン押下監視部１２により、音声切り出しボタン１１が押下されているか否かが判定される（ステップＡ１）。ボタン押下監視部１２により、音声切り出しボタン１１が押下されていることが検出されたとき、音声情報切り出し部１３に音声情報切り出しの開始が通知される（ステップＡ２）。音声情報切り出し部１３により、相手の音声情報Ａが対向音声受信部１４から取得されて切り出し音声情報ｃａが切り出され、切り出し音声情報記憶部１７に記録される（ステップＡ３、音声情報切り出し処理、切り出し音声情報記憶処理）。ボタン押下監視部１２により、音声切り出しボタン１１が押下されているか否かが判定され（ステップＡ４）、押下されていれば（Ｙｅｓ）、ステップＡ３の処理が継続され、押下されていなければ（Ｎｏ）、ステップＡ５に進む。
【００２３】
ボタン押下監視部１２により、音声情報切り出し部１３に音声情報切り出しの停止が通知される（ステップＡ５）。音声情報切り出し部１３により、切り出し音声情報記憶部１７に対する音声情報Ａの記録が停止される（ステップＡ６）。音声認識部１５により、切り出し音声情報記憶部１７に記録されている切り出し音声情報が読み出される（ステップＡ７）。音声認識部１５により、ステップＡ７で読み出された切り出し音声情報が文字情報ｃｂに変換され、変換文字情報記憶部１８に記録される（ステップＡ８、音声認識処理、変換文字情報記憶処理）。変換文字情報画面表示部１６により、変換文字情報記憶部１８に記録されている文字情報が読み出される（ステップＡ９）。変換文字情報画面表示部１６により、ステップＡ９で読み出された文字情報ｃｂ（すなわち、通話相手が話したメールアドレス）が携帯電話画面Ｖとして画面表示される（ステップＡ１０、文字情報表示処理）。
【００２４】
以上のように、この第１の実施例では、ユーザが携帯電話機１を用いて相手と通話している状態で、対向音声受信部１４により取得される音声情報Ａに対して、ユーザが必要とする範囲の特定通話内容を切り出す操作を行ったとき、切り出された特定通話内容に対応した切り出し音声情報ｃａが文字情報ｃｂに変換されて画面表示されるので、通話相手から聞いた電話番号やメールアドレスのような情報を同携帯電話機１以外の二次媒体（メモ用紙など）へ記録することが困難な状況でも、即座に記録及び表示される。また、上記の情報を二次媒体へ記録できた場合でも、これらの情報を携帯電話機１内の電話帳登録手段へ記録したい場合に、同情報を再入力する手間が省略され、利便性が向上する。
【実施例２】
【００２５】
図３は、この発明の第２の実施例である携帯電話機の要部の電気的構成を示すブロック図であり、第１の実施例を示す図１中の要素と共通の要素には共通の符号が付されている。
この例の携帯電話機１Ａでは、同図３に示すように、特定文字情報切り出し部２０が設けられている。
特定文字情報切り出し部２０は、文字認識機能を有し、変換文字情報記憶部１８に記録されている文字情報を認識して特定の型式で表される特定文字情報を判別して切り出す。この特定文字情報は、たとえば、“http:// …”の型式で表されるインターネットアドレスや、“tel:…”の型式で表される電話番号、“E-mail: …”の型式で表されるＥメールアドレスなどで構成される。変換文字情報画面表示部１６は、特定文字情報切り出し部２０で切り出された特定文字情報を画面表示する。他は、図１と同様の構成である。
【００２６】
図４は、図３の携帯電話機１Ａの動作を説明するためのフローチャートであり、第１の実施例を示す図２中の要素と共通の要素には共通の符号が付されている。
この図を参照して、この例の携帯電話機に用いられる通話内容切り出し方法の処理内容）について説明する。
この携帯電話機１Ａでは、ユーザが同携帯電話機１Ａを用いて相手と通話している状態で、対向音声受信部１４により取得される音声情報Ａに対して、ユーザが必要とする範囲の特定通話内容を切り出す操作を行ったとき、切り出された特定通話内容に対応した切り出し音声情報ｃａが文字情報ｃｂに変換され、同文字情報ｃｂから特定の型式で表される特定文字情報が判別されて切り出され、画面表示される。
【００２７】
すなわち、ステップＡ８の後、ステップＡ９ａに進み、特定文字情報切り出し部２０により、変換文字情報記憶部１８に記録されている文字情報ｃｂから特定文字情報が切り出される。そして、変換文字情報画面表示部１６により、同特定文字情報（すなわち、インターネットアドレスや電話番号など）が携帯電話画面Ｖとして画面表示される（ステップＡ１０ａ、特定文字情報表示処理）。これにより、ユーザが、たとえばインターネットアドレスや電話番号などの特定文字情報を必要とする場合、正確かつ簡潔に同特定文字情報が画面表示されるので、第１の実施例の利点に加え、さらに利便性が向上する。
【００２８】
以上、この発明の実施例を図面により詳述してきたが、具体的な構成は同実施例に限られるものではなく、この発明の要旨を逸脱しない範囲の設計の変更などがあっても、この発明に含まれる。
たとえば、図３中の特定文字情報切り出し部２０により判別して切り出す特定文字情報は、インターネットアドレスや電話番号などに限定されず、この特定文字情報切り出し部２０により判別可能な特定の型式で表された名前（たとえば“Name: …”）や住所（たとえば“Address:…”）などでも良い。
【産業上の利用可能性】
【００２９】
この発明は、携帯電話機全般に適用でき、特に、通話相手から伝達された情報を紙面などに転記できない屋外などで使用されることの多い携帯電話機に適用して有効である。
【図面の簡単な説明】
【００３０】
【図１】この発明の第１の実施例である携帯電話機の要部の電気的構成を示すブロック図である。
【図２】図１の携帯電話機１の動作を説明するためのフローチャートである。
【図３】この発明の第２の実施例である携帯電話機の要部の電気的構成を示すブロック図である。
【図４】図３の携帯電話機１Ａの動作を説明するためのフローチャートである。
【符号の説明】
【００３１】
１，１Ａ      携帯電話機
１１      音声切り出しボタン（通話内容切り出し表示手段の一部、特定文字情報切り出し表示手段の一部、音声情報切り出し操作手段の一部）
１２      ボタン押下監視部（通話内容切り出し表示手段の一部、特定文字情報切り出し表示手段の一部、音声情報切り出し操作手段の一部）
１３      音声情報切り出し部（通話内容切り出し表示手段の一部、特定文字情報切り出し表示手段の一部、音声情報切り出し手段）
１４      対向音声受信部（音声受信手段）
１５      音声認識部（通話内容切り出し表示手段の一部、特定文字情報切り出し表示手段の一部、音声認識手段）
１６      変換文字情報画面表示部（通話内容切り出し表示手段の一部、特定文字情報切り出し表示手段の一部、文字情報表示手段）
１７      切り出し音声情報記憶部（通話内容切り出し表示手段の一部、特定文字情報切り出し表示手段の一部、切り出し音声情報記憶手段）
１８      変換文字情報記憶部（通話内容切り出し表示手段の一部、特定文字情報切り出し表示手段の一部、変換文字情報記憶手段）
１９      制御部（通話内容切り出し表示手段の一部、特定文字情報切り出し表示手段の一部）
１９ａ      ＣＰＵ（中央処理装置）
１９ｂ      ＲＯＭ（リード・オンリ・メモリ）
２０      特定文字情報切り出し部（特定文字情報切り出し表示手段の一部、特定文字情報切り出し手段）
【図１】
2008205860.tif 000003
【図２】
2008205860.tif 000004
【図３】
2008205860.tif 000005
【図４】
2008205860.tif 000006